(57)【要約】【課題】簡単にデザインを設定できるだけでなく、定期的な更新通知を行い、ホームページが陳腐化しないようにデザインや記載内容の更新作業を効率良く支援すること。【解決手段】ユーザ毎にホームページの更新周期を含むユーザ情報を登録したユーザ情報ファイルと、各ユーザが使用しているホームページのデザインに関する情報を格納するデザイン情報ファイルと、各ユーザのホームページの更新周期毎に該当するユーザに対し更新周期が到来したことを通知する手段と、ユーザ端末からの要求に応じて、デザイン更新用画面を送信し、現在のホームページのデザインを更新する更新処理手段と、更新後のホームページのデザインに関する情報をデザイン情報ファイルに格納する手段と、ホームページの更新に要した更新サービス料金をユーザに課金する課金手段とを備える。【選択図】　　　　図１
2004054336.tif 000002
【特許請求の範囲】
【請求項１】
ホームページの更新サービスを受ける開設主が開設しているホームページの更新作業を支援するシステムであって、
ホームページを開設しているユーザ毎にホームページの更新周期を含むユーザ情報を登録したユーザ情報ファイルと、
各ユーザが使用しているホームページのデザインに関する情報を格納するデザイン情報ファイルと、
前記ユーザ情報ファイルに登録された各ユーザのホームページの更新周期毎に該当するユーザに対しホームページの更新周期が到来したことを通知する手段と、
更新周期の到来通知を受けたユーザ端末からの要求に応じて、デザイン更新用画面を送信し、該デザイン更新用画面内で提示されるデザインの選択操作を受付け、選択されたデザインにより現在のホームページのデザインを更新する更新処理手段と、
更新後のホームページのデザインに関する情報を前記デザイン情報ファイルに格納する手段と、
ホームページの更新に要したデザインの使用料を含む更新サービス料金をユーザに課金する課金手段と
を備えることを特徴とするホームページ更新支援システム。
【請求項２】
ホームページのデザイン更新後に、当該更新後のホームページに使用されているデザインに関する情報と、前記デザイン情報ファイルに格納されている他のユーザのホームページのデザインに関する情報とから更新後のデザインに類似している他のホームページが存在するか否かを探索し、類似デザインの他のホームページをユーザに通知する手段をさらに備えることを特徴とする請求項１に記載のホームページ更新支援システム。
【発明の詳細な説明】
【０００１】
【発明の属する技術分野】
本発明は、ホームページの自動更新を支援するホームページ更新支援システムに関する。
【０００２】
【従来の技術】
従来、ホームページの記載内容を自動的に更新する技術として、例えば、特開昭２００１−２９０７２９号公報記載のものが知られている。
特開昭２００１−２９０７２９号公報記載のものは、ホームページの半完成品のテンプレートを多数準備し、どのようなユーザであっても、その求めるホームページに近いデザインのホームページがその中から見つかる程度に準備しておくものである。
【０００３】
【発明が解決しようとする課題】
ところで、ホームページ自体は開設している企業や商店等の開設主の宣伝や情報開示を主たる目的として開設されることが多い。従って、デザインや記載内容を更新せずに同じ内容を記載していた場合には、内容が陳腐化するためにアクセス数が減少し、ホームページの開設効果を期待できなくなる。
そこで、例えば自社製品の宣伝に力を入れている企業等にあっては、頻繁に自社のホームページのデザインや記載内容を更新するようにしている。
そのために、ホームページのデザインや記載内容を効率良く更新する技術が必要になり、上記したように、特開昭２００１−２９０７２９号公報に記載のような技術が提案されている。
【０００４】
しかしながら、特開昭２００１−２９０７２９号公報に記載の技術にあっては、デザインの確定のみを実現しており、定期的な更新作業の支援やデザインを確定した場合の課金については対応できないという問題がある。
【０００５】
本発明の目的は、簡単にデザインを設定できるだけでなく、定期的な更新通知を行い、ホームページが陳腐化しないようにデザインや記載内容の更新作業を効率良く支援することができるホームページ更新支援システムを提供することにある。
【０００６】
【課題を解決するための手段】
上記目的を達成するために、本発明は、ホームページの更新サービスを受ける開設主が開設しているホームページの更新作業を支援するシステムであって、ホームページを開設しているユーザ毎にホームページの更新周期を含むユーザ情報を登録したユーザ情報ファイルと、各ユーザが使用しているホームページのデザインに関する情報を格納するデザイン情報ファイルと、前記ユーザ情報ファイルに登録された各ユーザのホームページの更新周期毎に該当するユーザに対しホームページの更新周期が到来したことを通知する手段と、更新周期の到来通知を受けたユーザ端末からの要求に応じて、デザイン更新用画面を送信し、該デザイン更新用画面内で提示されるデザインの選択操作を受付け、選択されたデザインにより現在のホームページのデザインを更新する更新処理手段と、更新後のホームページのデザインに関する情報を前記デザイン情報ファイルに格納する手段と、ホームページの更新に要したデザインの使用料を含む更新サービス料金をユーザに課金する課金手段とを備えることを特徴とする。
【０００７】
また、ホームページのデザイン更新後に、当該更新後のホームページに使用されているデザインに関する情報と、前記デザイン情報ファイルに格納されている他のホームページのデザインに関する情報とから更新後のデザインに類似している他のユーザのホームページが存在するか否かを探索し、類似デザインの他のホームページをユーザに通知する手段をさらに備えることを特徴とする。
【０００８】
【発明の実施の形態】
以下、本発明を実施する場合の一形態を図面を参照して具体的に説明する。
図１は、本発明の実施の一形態を示すシステム構成図である。
本実施形態のホームページ更新支援システムは、インターネット２を介してユーザ端末３のユーザにホームページの更新時期が到来したことを通知し、ユーザからの要求に応じてホームページの更新作業を支援するホームページ更新支援サーバ１によって構成されている。
【０００９】
ホームページ更新支援サーバ１は、ホームページの更新作業に必要な各種プログラムを格納・実行する中央演算装置１１と、各種データを更新・登録する記憶装置１２とから構成されている。
なお、ユーザ端末３は、インターネット２を経由して操作情報の入出力等を行うブラウザ４を備えている。
【００１０】
中央演算装置１１は、後述するユーザ情報テーブル１２１に予め登録された各ユーザのホームページの更新周期毎に該当するユーザに対しホームページの更新周期が到来したことを通知する更新通知プログラム１１１と、更新周期の到来通知を受けたユーザ端末３からの要求に応じて、デザイン更新用画面を送信し、該デザイン更新用画面内で更新用のデザインをユーザ端末３に提示し、ユーザによって選択されたデザインにより現在のホームページのデザインを更新する更新支援プログラム１１２と、ホームページの更新に要したデザインの使用料を含む更新サービス料金をユーザに課金する課金プログラム１１３と、本システムと更新サービス契約を結んでいない他の著名なホームページ開設者のホームページデザインの特徴（背景画像、メニュー位置など）を分析する著名ホームページ分析プログラム１１４とを備えている。
【００１１】
記憶装置１２は、ホームページを開設しているユーザ毎にホームページの更新周期を含むユーザ情報を登録したユーザ情報ファイル１２１と、各ユーザが使用しているホームページのデザインに関する情報を格納するデザインテーブル１２２と、ホームページの更新に必要な各種のデザインが登録されているデザイン部品テーブル１２３とを備えている。
【００１２】
図２は、情報テーブル１２１の記憶内容の一例を示す図であり、図２に示すように、本ホームページ更新支援システムとのサービス契約を結んでいる各ユーザの登録ＩＤを格納するユーザＩＤ１２１１、各ユーザの日本語名称を登録するユーザ名１２１２、各ユーザのホームページの更新時期を通知する通知周期１２１３、各ユーザのホームページで適用しているデザインのＩＤを登録するデザインＩＤ１２１４、ホームページの自動更新を行いたい日付を登録する更新指定日１２１５から構成される。
【００１３】
図３は、デザインテーブル１２２の記憶内容の一例を示す図であり、デザインを識別する番号を格納するデザインＩＤ１２２１、デザインＩＤ毎に簡単な説明文を登録するデザイン説明１２２２、当該デザインでのメニューの位置を格納するメニュー位置１２２３、背景情報を登録する背景１２２４、当該デザインの更新の料金を登録する課金１２２５から構成される。
ここで、デザインテーブル１２２には、著名ホームページ分析プログラム１１４が解析した著名ホームページのデザインの特徴についてもメニュー位置１２２３、背景１２２４に格納するようになっている。図３においては、デザイン説明１２２２の欄に「他社ＱＱＱ（株）」と言うのが著名ホームページの開設者が登録され、そのメニュー位置や背景がデザインの特徴として登録されている。
なお、背景１２２４には、背景に使用している静止画像等の名称が登録される。
【００１４】
デザイン部品テーブル１２３は、各ユーザがホームページを更新する場合に必要なデザインを予め登録してあるものであり、後述する図５で例示するような「標準タイプ」、「夏向けタイプ」などの各種のデザインをユーザ端末３のブラウザ４にデザイン設定画面として表示するためのデザインが登録されている。
【００１５】
図４は、本システムの処理の概略を示したフローチャートである。
まず、ユーザ情報テーブル１２１の登録内容を読み出し、予め設定された通知周期が来たユーザがあるか判定する（ステップ４０１）。通知周期が来たユーザがある場合には、デザイン設定画面のＵＲＬをメールアドレスに記載して更新通知をメールによって当該ユーザのユーザ端末３に送信する（ステップ４０２）。
更新通知メールを受信したユーザは、当該メールに記載されているデザイン設定画面のＵＲＬにアクセスし、デザイン設定画面を受信して表示する（ステップ４０３）。そして、デザイン設定画面内に提示されている各種のデザインの中から必要なデザインを選択し、新しいデザインを設計する（ステップ４０４）。設計が終了したならば、その新規のデザインをホームページ更新支援サービスサーバ１に送信する。
【００１６】
サーバ１のホームページ更新支援プログラム１１２は、受信した新規のデザインに従って当該ユーザのホームページのデザインを更新する（ステップ４０５）。
そして、課金プログラム１１４はユーザに対する課金を行う（ステップ４０６）。
なお、ユーザが独自で自身のホームページのデザインを更新登録する場合には、ホームページ更新支援プログラム１１２は、更新作業にかかるデザインを提供するのみである。ただし、ユーザはホームページ更新支援サーバ１から次の更新時期の到来通知を受けたり、他のホームページと類似のデザインのホームページの存在通知サービスを受けるためには、更新したデザインに関する情報（メニュー位置や背景など）をユーザ端末３からホームページ更新支援サーバ１に送信し、デザインテーブル１２２に登録しておく必要がある。ホームページ更新支援サーバ１に自身のホームページの更新登録処理までを依頼しているユーザにおいては、この必要は無い。
【００１７】
図５は、図４のステップ４０３、４０４でユーザ端末３のブラウザ４によって表示されるデザイン設定画面５００の例を示すものである。
図５に示すように、デザイン部品テーブル１２３に予め用意してあるデザインを表示するお薦めデザインとして、「標準タイプ」と季節を意識した「夏向けタイプ」とが提示され、「標準タイプ」の中にはメニュー位置や画像の位置が異なる複数のデザイン部品５０１〜５０３が表示されている。同様に、「夏向けタイプ」の中にはメニュー位置や画像の位置が異なる複数のデザイン部品５０４〜５０６が表示されている。そして、各デザイン部品５０１〜５０６には、当該部品を選択するためのラジオボタン５０１Ｂ〜５０６ＢがデザインＩＤ「Ｄ００１〜Ｄ２０３」を付記して表示されている。
また、お薦めデザイン中に期待するデザインが無い場合に、個別にデザインを指定するための個別指定ボタン５０７が表示され、さらに選択したデザイン部品を実際に適用する日付を入力する更新日プルダウン５０８、次回更新の通知周期を指定する通知周期テキストボックス５０９、デザイン設定画面での入力を確定する確認ボタン５１０が表示されている。
【００１８】
図６は、図５に示す個別指定ボタン５０７を選択した場合に表示される個別指定デザイン設定画面６００の例を示す図である。
個別指定デザイン設定画面６００には、図６に示すように、メニュー位置を個別に設定するためにメニュー位置デザイン６０１〜６０３と各メニュー位置を選択するメニュー位置選択ラジオボタン６０１Ｂ〜６０３Ｂが表示され、さらに背景を個別に設定するための背景デザイン６０４〜６１１と、背景を選択する背景選択ラジオボタン６０４Ｂ〜６１１Ｂとが表示されている。
さらに、選択したデザインを実際に適用する日付を入力する更新日プルダウン６１２、次回更新の通知周期を指定する通知周期テキストボックス６１３、デザイン設定画面での入力を確定する確認ボタン６１４が表示されている。
【００１９】
ここで、例えば、図５のお薦めデザイン中の「標準タイプ」のデザインＩＤ＝Ｄ００１のデザインが希望のデザインであった場合、ラジオボタン５０１Ｂをマウスクリック操作によって選択した後、更新日、次回通知の日付を５０８、５０９に入力し、確認ボタン５１０を操作する。これによって、新規のデザインが確定する。
なお、ここでは、確定するのはホームページのデザインであって、メニュー等の記載内容は各ユーザが個別に入力することを想定しているが、メニュー等の記載内容も予めユーザホームページの情報として登録しておき、その記載内容も含めでデザインを提供するようにしても良い。
また、図５のお薦めデザイン中に好みのデザインが存在しなかった場合は、個別指定ボタン５０７を操作し、図６の個別指定の画面６００を表示させ、この中からメニュー位置、背景を個別に指定する。
【００２０】
図７は、図５に示す確認ボタン５１０または図６に示す確認ボタン６１４を選択した場合に表示される最終確認画面７００の例を示す図である。
図７に示すように、最終確認画面７００には、ユーザによって設定されたデザインを表示する最終確認デザイン７０１、設定された更新日を表示する確認更新日７０２、設定された通知周期を表示する確認通知周期７０３、設定内容を修正する為に設定画面に戻る修正ボタン７０４、これまでの設定内容を登録実行する登録実行ボタン７０５が表示される。
さらに、設計したホームページのデザインと類似した他のユーザのホームページまたは著名ホームページが存在する場合には、図示するような警告メッセージ７０６が表示される。
【００２１】
なお、この警告メッセージ７０６は、ユーザが確認ボタン４１０または６１４を操作し、デザインテーブル１２２中に、ユーザが選択したメニュー位置１２２３、背景１２２５の情報をホームページ更新支援プログラム１１２が書き込んだ後に、著名ホームページ分析プログラム１１４が分析し、その分析結果に従ってホームページ更新支援プログラム１１２が表示させるものである。
すなわち、著名ホームページ分析プログラム１１４は、本システムの更新サービス契約ユーザ以外の著名なホームページのデザインの特徴について、少なくともメニュー位置や背景画像について定期的または非定期で解析し、その解析結果をデザインテーブル１２２のメニュー位置１２２３、背景１２２４に記録するが、ユーザ端末３でのホームページ更新作業が終了し、ホームページ更新支援プログラム１１２によってデザインテーブル１２２中の当該ユーザに対応するメニュー位置や背景の情報が更新登録されると、ホームページ更新支援プログラム１１２からの依頼を受けて類似デザインのホームページが存在するか否かをデザインテーブル１２２の登録データに基づいて探索する。
類似のホームページとする判断基準としては、（１）メニュー位置と背景の位置関係が類似している、（２）背景画像が同じである、（３）背景の色調が類似している、などである。
なお、解析の精度に合わせてデザインテーブル１２２中に記録する情報も適宜に付加される。
【００２２】
図８および図９は、本システムの処理の詳細を示したフローチャートである。
まず、更新通知プログラム１１１は、ユーザ情報テーブル１２１に予め設定された通知周期１２１３に基づき、ホームページ更新通知の時期が来たユーザがあるか判定する（ステップ８０１）。更新通知の時期が来たユーザがある場合には、デザイン設定画面のＵＲＬをメールアドレスに記載して当該ユーザのユーザ端末３に送信する（ステップ８０２）。
更新通知のメールを受信したユーザ端末３のユーザは、メールに記載されたＵＲＬにブラウザ４によりインターネット２を経由してアクセスする（ステップ８０３）。
ホームページ更新支援プログラム１１２は、ユーザからのアクセスを検知し、デザイン設定画面５００をユーザ端末３のブラウザ４に送信して表示させる（ステップ８０４）。
【００２３】
ユーザはブラウザ４に表示されたデザイン設定画面５００上のお薦めデザイン中から希望するデザインが存在するか判断する（ステップ８０５）。希望するデザインが存在する場合は、該当するデザインのラジオボタンを選択する（ステップ８０６）。
希望するデザインが存在しない場合は、デザインを個別指定する為に個別指定ボタン５０７を選択する（ステップ８０７）。
ホームページ更新支援プログラム１１２は、個別指定ボタン５０７の選択を検知し、個別指定デザイン設定画面６００をブラウザ４に送信して表示させる（ステップ８０８）。
【００２４】
ユーザはブラウザ４に表示された個別指定デザイン設定画面６００上で希望するメニュー位置を、該当するメニュー位置選択ラジオボタンで選択する（ステップ８０９）。また、背景デザインから希望する背景を、該当する背景選択ラジオボタンで選択する（ステップ８１０）。なお、さらに画面デザイン設定要素が必要ならばロゴ画像やフォントサイズ等の設定機能を設けてもよい。
次にユーザはデザイン設定画面５００もしくは６００上の更新日プルダウン５０８もしくは６１２に、設定したデザインが有効になる日付を指定する（ステップ８１１）。次にユーザはデザイン設定画面５００もしくは６００上の通知周期テキストボックス５０９もしくは６１３に、次回の更新案内通知を送信してもらう日付を指定する（ステップ８１２）。
【００２５】
次にユーザはデザイン設定画面５００もしくは６００上の確認ボタン５１０もしくは６１４を選択し、これまで設定した内容をホームページ更新支援プログラム１１２に送信する（ステップ８１３）。
ホームページ更新支援プログラム１１２は、確認ボタン５１０もしくは６１４の選択を検知し、今回の更新作業で設定されたデザインの情報をユーザ情報テーブル１２１およびデザインテーブル１２２に仮登録する。すなわち、デザインテーブル１２２には、今回の更新作業で設定されたメニュー位置や背景の情報を１２２２，１２２３に仮登録する。また、デザイン説明１２には「標準タイプ」であれば「標準」を、「夏向けタイプ」であれば「夏向け」を仮登録する。
【００２６】
この後、著名ホームページ分析プログラム１１４に類似デザインのホームページが存在するか否かの探索依頼を行い、類似デザインのホームページが存在する旨の結果が返ってきた場合には、図７の７０６に示したような警告メッセージを含む最終確認画面７００をユーザ端末３に表示させる（ステップ８１４，８１５）。
しかし、類似デザインのホームページが存在しない旨の結果が返ってきた場合には、警告メッセージを含まない最終確認画面７００をユーザ端末３に送信して表示させる（ステップ８１４、８１６）。
ホームページ更新支援プログラム１１２は、最終確認画面７００に対するユーザの応答を待つ。
【００２７】
ユーザは、ブラウザ４に表示された最終確認画面７００を確認し、これまでの設定内容に問題が無いかどうか判断する（ステップ８１７）。内容に問題が無ければ登録実行ボタン７０５を選択する（ステップ８１８）。
ホームページ更新支援プログラム１１２は、登録実行ボタン７０５の選択を検知した場合、設定内容をユーザ情報テーブル１２１とデザインテーブル１２２に本登録する（ステップ８１９）。
【００２８】
一方、ユーザはステップ８１５において設定内容に問題が有れば修正ボタン７０４を選択する（ステップ８２３）。ホームページ更新支援プログラム１１２は、修正ボタン７０４の選択を検知した場合には、ステップ８０５に戻り、再度デザイン設定を支援する（ステップ８２４）。
ホームページ更新支援プログラム１１２は、ステップ８１９の処理を行った後、設定された更新日が来たユーザのホームページがあるか判定する（ステップ８２０）。更新日が来たユーザホームページがある場合は設定されたデザインで当該ユーザのホームページを更新する（ステップ８２１）。次に、デザインテーブル１２２に設定された情報に基づき、当該ユーザに対して課金を行う（ステップ８２２）。なお、さらにクレジットカードやインターネットバンキングを利用した課金機能を設けてもよい。
【００２９】
【発明の効果】
以上説明したように、本発明によれば、定期的な更新通知を行い、ホームページが陳腐化しないようにデザインの更新作業を効率良く支援することができる。更新作業の支援にかかる適切なサービス料金を課金し、システムの運営費を賄うことができる。
【図面の簡単な説明】
【図１】本発明の一実施の形態を示すシステム構成図である。
【図２】ユーザ情報テーブルの構成を示す図である。
【図３】デザインテーブルの構成を示す図である。
【図４】ホームページ更新システムの処理手順の概要を示すフロ−チャ−トである。
【図５】デザイン設定画面の例を示す図である。
【図６】デザイン設定画面の他の例を示す図である。
【図７】最終確認用のデザイン設定画面の例を示す図である。
【図８】ホームページ更新システムの処理手順の詳細を示すフロ−チャ−トである。
【図９】図８の続きを示すフロ−チャ−トである。
【符号の説明】
１…ホームページ更新支援サーバ、２…インターネット、３…ユーザ端末、４…ブラウザ、１１…中央演算装置、１２…記憶装置、１１１…更新通知プログラム、１１２…ホームページ更新支援プログラム、１１３…課金プログラム、１１４…著名ホームページ分析プログラム、１２１…ユーザ情報テーブル、１２２…デザインテーブル、１２３…デザイン部品テーブル。
【図１】
2004054336.tif 000003
【図２】
2004054336.tif 000004
【図３】
2004054336.tif 000005
【図４】
2004054336.tif 000006
【図５】
2004054336.tif 000007
【図６】
2004054336.tif 000008
【図７】
2004054336.tif 000009
【図８】
2004054336.tif 000010
【図９】
2004054336.tif 000011